(57)【要約】【課題】本発明は、高齢者であっても容易かつ迅速に使用して運動することができる足運動器具を提供することを課題とする。【解決手段】接地される器具本体と、使用者の足裏が載置される足載置部と、抵抗付与手段とを備え、前記足載置部は、前記足載置部に使用者が足裏を載置する前の待機姿勢と、使用者が足裏で前記足載置部を押圧する押圧姿勢との間で姿勢変更するように、上下方向に揺動自在に支持され、前記抵抗付与手段は、前記足載置部を待機姿勢に位置させ、前記足載置部は、前記抵抗付与手段の抵抗力に抗して押圧姿勢に姿勢変更可能に構成されている。【選択図】図１
2019013323.tif 000002
【特許請求の範囲】
【請求項１】
接地される器具本体と、使用者の足裏が載置される足載置部と、抵抗付与手段とを備え、前記足載置部は、前記足載置部に使用者が足裏を載置する前の待機姿勢と、使用者が足裏で前記足載置部を押圧する押圧姿勢との間で姿勢変更するように、揺動自在に支持され、前記足載置部は、前記抵抗付与手段の抵抗力に抗して押圧姿勢に姿勢変更可能に構成されていることを特徴とする足運動器具。
【請求項２】
前記抵抗付与手段は弾性体から構成され、前記抵抗付与手段は、前記足載置部を待機姿勢に位置させることを特徴とする請求項１に記載の足運動器具。
【請求項３】
前記足載置部は横軸を中心にして上下方向に揺動自在に支持されていることを特徴とする請求項１または２に記載の足運動器具。
【発明の詳細な説明】
【技術分野】
【０００１】
本発明は、特に高齢者が使用するのに最適な足運動器具に関するものである。
【背景技術】
【０００２】
近年、国民の高齢化が進み、高齢者の転倒予防や運動機能増進が重要になっている。高齢者の転倒予防や運動機能増進を図るには、下腿筋群、膝を鍛えることが望ましい。下腿筋群、膝等の足を鍛える器具として、筋力トレーニング用器具が公知である（例えば、特許文献１参照）。
【０００３】
かかる筋力トレーニング用器具は、下肢（特に下腿三頭筋と前脛骨筋）の筋力を向上させるためのものであり、使用者の足首から上方に沿って装着される第１装着部と、使用者の足裏に沿って装着される第２装着部と、オイルダンパとを備えている。
【先行技術文献】
【特許文献】
【０００４】
【特許文献１】ＪＰ  ＷＯ２０１２／０３９３６５号公報
【発明の概要】
【発明が解決しようとする課題】
【０００５】
従来の筋力トレーニング用器具を使用する際には、第１装着部で足首から上方に沿って装着する作業と、第２装着部で使用者の足裏に沿って装着する作業とが必用となる。このため、使用に際して作業が面倒で、例えば、特に高齢者が簡単に使用して運動をできないという問題があった。
【０００６】
そこで、本発明は、高齢者であっても容易かつ迅速に使用して運動することができる足運動器具を提供することを課題とする。
【課題を解決するための手段】
【０００７】
本発明は、接地される器具本体と、使用者の足裏が載置される足載置部と、抵抗付与手段とを備え、前記足載置部は、前記足載置部に使用者が足裏を載置する前の待機姿勢と、使用者が足裏で前記足載置部を押圧する押圧姿勢との間で姿勢変更するように、揺動自在に支持され、前記足載置部は、前記抵抗付与手段の抵抗力に抗して押圧姿勢に姿勢変更可能に構成されていることを特徴とする。
【０００８】
前記抵抗付与手段は弾性体から構成され、前記抵抗付与手段は、前記足載置部を待機姿勢に位置させることを特徴とする。
【０００９】
前記足載置部は横軸を中心にして上下方向に揺動自在に支持されていることを特徴とする。
【発明の効果】
【００１０】
本発明は、高齢者であっても容易にかつ迅速に使用することができる。
【図面の簡単な説明】
【００１１】
【図１】本発明の一実施形態に係る足運動器具の斜視図である。
【図２】同足運動器具の使用状態を示し、（ａ）は足載置部の待機姿勢を示す斜視図、（ｂ）は足載置部の押圧姿勢を示す斜視図である。
【図３】本発明の他の実施形態に係る足運動器具を示し、（ａ）は足載置部の待機姿勢を示す斜視図、（ｂ）は足載置部の押圧姿勢を示す斜視図である。
【図４】本発明の更に他の実施形態に係る足運動器具の斜視図である。
【図５】本発明の更に他の実施形態に係る足運動器具を示し、（ａ）は足載置部の待機姿勢を示す斜視図、（ｂ）は足載置部の押圧姿勢を示す斜視図である。
【図６】本発明の更に他の実施形態に係る足運動器具を示し、（ａ）は足載置部の待機姿勢を示す斜視図、（ｂ）は足載置部の押圧姿勢を示す斜視図である。
【図７】本発明の更に他の実施形態に係る一部断面を含む足運動器具の平面図である。
【図８】同足運動器具を示し、（ａ）は足載置部の待機姿勢を示す側面図、（ｂ）は足載置部の押圧姿勢を示す側面図である。
【発明を実施するための形態】
【００１２】
以下、本発明を実施形態に基づき、図面を参照して説明する。図１および図２（ａ）、（ｂ）は本発明の一実施形態を示す。本実施形態に係る足運動器具１は、図１に示すように、器具本体３と、足載置部５と、抵抗付与手段６とを備えている。
【００１３】
器具本体３は、床や地面等の接地面２に接地して載置されるベース部３０と、ベース部３０の左右両側から立設された一対の支持部３１とを備えている。器具本体３は、アクリル樹脂等の合成樹脂製または金属製である。軽量化の観点から合成樹脂製であるのが好ましいが、金属製であっても良く材質は特に限定されない。
【００１４】
足載置部５は、平面視矩形状を呈する載置面部５０と、載置面部５０の一端（後部）から下方に延設された後壁部５１とを備えている。載置面部５０後部（載置面部５０と後壁部５１とが交差する部分）は、横軸５２を中心にして上下方向に揺動自在に支持部３１に支持されている。横軸５２としては、蝶番等を採用することができる。後壁部５１には、持ち運び用の取っ手９が設けられている。足載置部５および取っ手９は、合成樹脂製であるのが好ましいが、金属製であっても良く材質は特に限定されない。
【００１５】
抵抗付与手段６は、コイルスプリング等の弾性体から構成され、器具本体３と足載置部５との間に介在されている。本実施例では、抵抗付与手段６としてコイルスプリングが採用されている。コイルスプリング６の一端6ａが器具本体３のベース部上面３０ａに固定され、他端が足載置部５の下面5ａに固定されている。コイルスプリング６は横軸５２と所定の間隔を有するように、足載置部５の自由端側を支持している。
【００１６】
コイルスプリング６は、器具本体３と足載置部５との間の適宜位置に設けられており、単体であっても複数個であって良い。また、任意の個数が装着できるように、着脱自在に設けることも可能である。このように、コイルスプリング６を適宜交換できるようにすることにより、コイルスプリング６全体の弾性力を調整することができる。
【００１７】
足載置部５は、コイルスプリング６により器具本体３に対して所定間隔を有して略平行の待機姿勢Ａを維持するように設定されている。そして、足載置部５を下方に押圧することにより、足載置部５は、コイルスプリング６の弾性力に抗してコイルスプリング６を収縮させ、横軸５２を中心にして下方に揺動することができる。かかる足載置部５が所定角度下方に傾斜した状態を押圧姿勢Ｂという。従って、足載置部５は、足載置部５を使用者が足裏8ａを載置する前の待機姿勢Ａと、使用者が足裏8ａで前記足載置部５を押圧する押圧姿勢Ｂとの間で姿勢変更するように、上下方向に揺動自在に構成されている。
【００１８】
次に、前記構成からなる足運動器具１を使用する場合について説明する。
【００１９】
まず、使用者は足運動器具１を床等の所定の接地面２に載置する（図２（ａ）参照）。
このとき、足載置部５は使用者が足裏を載置する前の待機姿勢Ａにある。使用者は椅子等に腰を下ろして左右の両足８、８の足裏8ａを足載置部５の載置面部5０の上面５０ａに載せる。足載置部５は待機姿勢Ａの状態を維持している。踵が横軸５２側で、つま先側がコイルスプリング６側（足載置部５の自由端側）を向くようにする。
【００２０】
つま先側に力を入れて両足８、８で足載置部５を下方に踏み込むと、載置面部5０の前方側が下方に傾斜するように、横軸５２を中心にして下方に揺動する（図２（ｂ）参照）。使用者は、コイルスプリング６の弾性力に抗して所定の力で踏み込むことができる。
【００２１】
さらに、使用者がつま先側の力を緩めると、コイルスプリング６の弾性力により、コイルスプリング６は伸長しようとするため、傾斜して押圧姿勢Ｂにある足載置部５は上方の回動し待機位置Ａに復元する。以上のように、使用者は、自分の体力に応じて前記の動作を複数回行う。
【００２２】
本実施形態の足運動器具１は、椅子に腰掛けて行えるため、膝の負担を軽くすることができ、載置面部5０の上に両足を載せて指先に力を加えることで、前部が床に接近する。力を抜くとまた元に戻る。このように、主に足首を屈曲、伸展させる動作を繰り返すことにより、この動作をつかさどる下腿三頭筋等の下腿筋群の筋肉を適宜鍛えることができる。
【００２３】
抵抗付与手段（コイルスプリング）６は、足載置部５を待機姿勢Ａに位置させるので、常時、安定した力で足載置部５を揺動させることが可能となる。足載置部５は横軸５２を中心にして上下方向に揺動自在に支持されているので、使用者は、椅子に腰掛けた状態で簡単に両足の足裏８ａを載置面部5０の上方から簡単に押圧することができる。
【００２４】
以上のように、本実施形態の足運動器具１は、使用者が足裏を載置面部5０の上に載置して力を入れたり抜いたりするだけで良いので、高齢者であっても簡単で容易且つ迅速に使用して運動することができる。また、足運動器具１は、器具本体３と足載置部５とコイルスプリング６との簡単な少数の部材で軽量に製造することが可能となる。特に、器具本体３および足載置部５を合成樹脂製にすることで、足運動器具１の軽量化を図ることが可能である。このため、高齢者や女性等の力の弱い使用者であても、足運動器具１の取っ手９を持って任意の場所に持ち運んで足運動器具１を簡単かつ安全に使用することができ便利である。
【００２５】
図３（ａ）、（ｂ）は本発明の他の実施形態を示す。図３に示す実施形態は、器具本体３を平板状のベース部３０と、ベース部３０の後端から垂直に立設された後壁部３２とから構成されている。後壁部３２上端に載置面部5０の一端が、揺動自在に支持されている。図３（ａ）は、載置面部5０の待機姿勢Ａを示している。図３（ｂ）は、載置面部5０の押圧姿勢Ｂを示している。
【００２６】
図４は本発明の更に他の実施形態を示す。図４に示す実施形態は、コイルスプリング６を複数個設けた場合を例示する。なお、図３に示した実施形態と同一部材は同一符号を付して説明を省略する。
【００２７】
図５（ａ）、（ｂ）は、本発明の更に他の実施形態を示す。図５に示す実施形態は、抵抗付与手段６として弾性伸縮性を有する帯状の弾性シート（ゴムバンド）を採用している。なお、図１に示した実施形態と同一部材は同一符号を付して説明を省略する。図５（ａ）は、足載置部５の待機姿勢Ａを示す斜視図、同図（ｂ）は足載置部５の押圧姿勢Ｂを示す斜視図である。
【００２８】
ゴムバンド６の一端部6ａがベース部３０の後面に接続され、他端部６ｂが足載置部５の後壁部５１に接続されている。そして、足運動器具１を使用する際には、足載置部５を揺動させると、ゴムバンド６が伸縮することとなる。ゴムバンド６の弾性力を利用して適宜抵抗を付与することができる。また、足運動器具１は、器具本体３および足載置部５を合成樹脂製にするとともに、抵抗付与手段６をゴムバンドとすることにより、さらに足運動器具１の軽量化を図ることが可能である。
【００２９】
図６（ａ）、（ｂ）は、本発明の更に他の実施形態を示す。本実施形態は、抵抗付与手段６として伸縮性を有する左右一対のゴムバンドを採用している。図６（ａ）は、足載置部５の待機姿勢Ａを示す斜視図、同図（ｂ）は足載置部５の押圧姿勢Ｂを示す斜視図である。ゴムバンド６の一端部6ａがベース部３０の側面に連結され、他端部６ｂが後壁部５１の側面に連結されている。そして、足運動器具１を使用する際には、足載置部５を揺動させると、ゴムバンド６が伸縮することとなる。
【００３０】
図７および図８（ａ）、（ｂ）は、本発明の更に他の実施形態を示す。本実施形態は、足載置部５の両側が上下方向に揺動自在となるように設けられている。具体的には、足載置部５の中央位置に支持部５４を介して横軸５２が設けられている。横軸５２は支持部５５を介して器具本体３側に設けられた筒状軸受け５３に相対回転自在に挿通されている。足載置部５は横軸５２を中心にして足載置部５が両側に２分割されている。すなわち、横軸５２を中心にして両側に一方部分５ａと他方部分５ｂとが設けられている。なお、一方部分５ａと他方部分５ｂとの長さ寸法（横軸５２から一方部分５ａおよび他方部分５ｂの先端部までの寸法）は、必ずしも同等に設ける必要はない。
【００３１】
使用者の足裏８ａは、図７に仮想線で示すように、つま先側を一方部分５ａ側に位置させ、踵側を他方部分５ｂに位置させる。つま先側に力を入れて踏み込んで一方部分５ａを下方に押圧すると、他方部分５ｂが上昇する（図８（ｂ）参照）。このとき、一方部分５ａと器具本体３との間に介在されたコイルスプリング６ａが弾性力に抗して収縮する。また、他方部分５ｂと器具本体３との間に介在されたコイルスプリング６ｂが弾性力に抗して伸長する。
【００３２】
反対に、踵側に力を入れて踏み込むと、足載置部５は横軸５２を中心にして揺動し、一方部分５ａが上昇し、他方部分５ｂが下降する。このとき、一方部分５ａと器具本体３との間に介在されたコイルスプリング６ａが弾性力に抗して伸長する。また、他方部分５ｂと器具本体３との間に介在されたコイルスプリング６ｂが弾性力に抗して収縮する。このように、つま先側と踵側とに交互に力を入れる（足首を屈曲、伸展させる動作をする）ことで、足載置部５と共につま先から踵までの足を揺動させる運動することができる。
【００３３】
また、図７に仮想線で示すように右側の足裏８ａ１を他方部分５ｂに載置し、左側の足裏を一方部分５ａに載置する（図示省略）ことにより、左右の足を交互に上下動させて運動することもできる。なお、本実施形態のコイルスプリング６ａを除く各構成部材は合成樹脂製のものを採用可能である。しかも、図７および図８（ａ）、（ｂ）に仮想線で示すように、コイルスプリング６ａに替えてゴムバンド６を器具本体３と足載置部５との間に設ける（器具本体３の両端部と足載置部５の両端部に接続する）ことも可能である。また、抵抗付与手段としてオイルダンパを採用することも可能である。
【００３４】
以上、本発明を実施の形態に基づいて説明したが、本発明は、上記の実施形態に限定されるものではない。例えば、足運動器具１は、両方の足裏を載置する場合に限らず、左右のそれぞれの足裏を単独で載置するもであって良い。かかる足運動器具１は、複数個を併設して使用するこができる。また、例えば図３に示した実施形態の足運動器具１は、器具本体３と足載置部５とを合成樹脂で一体成形により製造することが可能である。かかる場
合は、蝶番等の支持部材が不要となる。同一および均等の範囲内において、上記の実施の形態に対して種々の変更を加えることが可能である。
【符号の説明】
【００３５】
１          足運動器具
２          接地面
３          器具本体
５          足載置部
６          コイルスプリング（抵抗付与手段）
８、８      両足
８ａ        足裏
３０        ベース部
３１        支持部
５０        載置面部
５１        後壁部
５２        横軸
５３        筒状軸受け
Ａ          待機姿勢
Ｂ          押圧姿勢
【図１】
2019013323.tif 000003
【図２】
2019013323.tif 000004
【図３】
2019013323.tif 000005
【図４】
2019013323.tif 000006
【図５】
2019013323.tif 000007
【図６】
2019013323.tif 000008
【図７】
2019013323.tif 000009
【図８】
2019013323.tif 000010